(57)【特許請求の範囲】
【請求項１】
複数の金属製下地材（１），（１）・・と、これらの金属製下地材（１），（１）・・に対して貫通固定されて該金属製下地材（１），（１）・・のフレ止めを行うチャンネル（１１）とを備えた建造物用下地構造であって、前記金属製下地材（１），（１）・・の間にあって前記チャンネル（１１）が挿通される固定部材（２３）と、該固定部材（２３）を貫通する支持部材（２４）と、該支持部材（２４）に対して前記チャンネル（１１）を圧接固定する固定手段（２５）とを付設するとともに、前記固定部材（２３）は、前記チャンネル（１１）を跨ぐ断面コ字状の部材からなり、前記支持部材（２４）は、前記固定部材（２３）の対向片（２３ａ），（２３ａ）を貫通するものとされており、前記固定手段（２５）は、前記固定部材（２３）において前記対向片（２３ａ），（２３ａ）を連結する連結片（２３ｂ）に螺合されて前記チャンネル（１１）に対して圧接されるネジ部材とされていて、前記固定部材（２３）における対向片（２３ａ），（２３ａ）には、前記支持部材（２４）を貫通する貫通穴（２６），（２６）が形成され且つ前記各貫通穴（２６）には、前記支持部材（２４）を水平方向から挿入できる大きさの開放部（２６ａ）がそれぞれ形成されていることを特徴とする建造物用下地構造。
【請求項２】
前記各金属製下地材（１）を、中空な金属製四角柱により構成するとともに、前記金属製下地材（１）の相対向する二面（５），（６）には、前記チャンネル（１１）を嵌合するためのチャンネル嵌合溝（１２）を下端に有する正面側切欠開口（９）と、該正面側切欠開口（９）と相対向する裏面側切欠開口（１０）とをそれぞれ形成し且つ前記チャンネル嵌合溝（１２）の両側口縁（１２ａ），（１２ａ）には、前記チャンネル（１１）の嵌合時に該チャンネル（１１）の両側面に圧接される舌片（１５），（１５）を一体に形成する一方、前記正面側切欠開口（９）の片側口縁（９ａ）には、該片側口縁（９ａ）を折曲部（１３）として開閉自在とされ且つ閉止時に前記チャンネル（１１）の上方に近接される固定片（１４）を一体に突設したことを特徴とする前記請求項１記載の建造物用下地構造。
【発明の詳細な説明】
【０００１】
【発明が属する技術分野】
【０００２】
本願発明は、建築物の壁面を構成する建造物用下地構造に関するものである。
【従来の技術】
【０００３】
建築物の内装工事等に使用される金属製下地材として一般的に普及しているものとしては、断面コ字状のスタッドや金属製角型柱が知られているが、このような下地材を用いて下地構造を構成する場合、下地材のフレ止めを行うために該下地材にフレ止め用のチャンネルを通して下地材の補強を行う必要があった。
【発明が解決しようとする課題】
【０００４】
ところが、上記したような建造物用下地構造において、例えば下地材として幅寸法の小さいものを使用した場合、フレ止め用チャンネルだけでは、下地材が撓むおそれがある。すると、下地構造に強度的な不安が生ずるとともに、下地材に対してボードを貼る作業がしにくくなるおそれがある。
【０００５】
また、通常の幅寸法を有する下地材を使用した場合であっても、高さ寸法が大きくなると、やはり下地材が撓むおそれがあり、上記したと同様な不具合が生ずる。
【０００６】
本願発明は、上記の点に鑑みてなされたもので、下地材の撓みを防止することにより、堅牢な下地構造が得られるようにすることを目的とするものである。
【課題を解決するための手段】
【０００７】
本願発明の基本構成（請求項１の発明）では、上記課題を解決するための手段として、複数の金属製下地材１，１・・と、これらの金属製下地材１，１・・に対して貫通固定されて該金属製下地材１，１・・のフレ止めを行うチャンネル１１とを備えた建造物用下地構造において、前記金属製下地材１，１・・の間にあって前記チャンネル１１が挿通される固定部材２３と、該固定部材２３を貫通する支持部材２４と、該支持部材２４に対して前記チャンネル１１を圧接固定する固定手段２５とを付設するとともに、前記固定部材２３は、前記チャンネル１１を跨ぐ断面コ字状の部材からなり、前記支持部材２４は、前記固定部材２３の対向片２３ａ，２３ａを貫通するものとされており、前記固定手段２５は、前記固定部材２３において前記対向片２３ａ，２３ａを連結する連結片２３ｂに螺合されて前記チャンネル１１に対して圧接されるネジ部材とされていて、前記固定部材２３における対向片２３ａ，２３ａに、前記支持部材２４を貫通する貫通穴２６，２６が形成され且つ前記各貫通穴２６に、前記支持部材２４を水平方向から挿入できる大きさの開放部２６ａがそれぞれ形成されている。
【０００８】
上記のように構成したことにより、金属製下地材１，１・・に貫通固定されて該金属製下地材１，１・・のフレ止めを行うチャンネル１１が、支持部材２４に対して固定部材２３と固定手段２５とにより強固に固定されることとなり、金属製下地材１，１・・の撓みが防止されることとなる。従って、堅牢な下地構造が得られるとともにボード貼付作業も容易となる。しかも、支持部材２４をチャンネル１１を跨ぐ固定部材２３の対向片２３ａ，２３ａに貫通させた後、固定部材２３の連結片２３ｂに固定手段２５であるネジ部材を螺合させるだけで金属製下地材１，１・・の撓み防止が達成できることとなり、作業性が向上する。また、前記固定部材２３における対向片２３ａ，２３ａに、前記支持部材２４の外径よりやや大径の貫通穴２６，２６を形成したことにより、貫通穴２６，２６への支持部材２４の貫通が容易に行えるし、前記各貫通穴２６に、前記支持部材２４を水平方向から挿入できる大きさの開放部２６ａをそれぞれ形成したことにより、支持部材２４の貫通穴２６，２６への挿入が開放部２６ａ，２６ａを介して水平方向から行えることとなり、作業性が向上する。
【０００９】
請求項２の発明におけるように、前記各金属製下地材１を、中空な金属製四角柱により構成するとともに、前記金属製下地材１の相対向する二面５，６に、前記チャンネル１１を嵌合するためのチャンネル嵌合溝１２を下端に有する正面側切欠開口９と、該正面側切欠開口９と相対向する裏面側切欠開口１０とをそれぞれ形成し且つ前記チャンネル嵌合溝１２の両側口縁１２ａ，１２ａに、前記チャンネル１１の嵌合時に該チャンネル１１の両側面に圧接される舌片１５，１５を一体に形成する一方、前記正面側切欠開口９の片側口縁９ａに、該片側口縁９ａを折曲部１３として開閉自在とされ且つ閉止時に前記チャンネル１１の上方に近接される固定片１４を一体に突設した場合、中空な金属製四角柱１の相対向する二面５，６の一方側に形成された裏面側切欠開口１０から正面側切欠開口９の固定片１４を押し開きながらチャンネル１１を挿通させ後、あるいは固定片１４を手指で押し開いた状態でチャンネル１１を挿通させた後、該チャンネル１１を正面側切欠開口９の下端のチャンネル嵌合溝１２における舌片１５，１５に対して嵌合位置決めし、その後前記固定片１４を閉じてその下端をチャンネル１１の上方に近接させると、チャンネル１１のチャンネル嵌合溝１２からの離脱が規制され、金属製四角柱１へのチャンネル１１の組付が確実且つ強固となり、結果としてより堅牢な下地構造が得られる。
【発明の実施の形態】
【００１０】
以下、添付の図面を参照して本願発明の幾つかの参考例および好適な実施の形態について詳述する。
【００１１】
第１の参考例
この建造物用下地構造は、図４に示すように、壁面Ｗの片面に片壁を形成するためのものであり、例えば、前記壁面Ｗから所定寸法離れた位置において天井スラブ面と床面とに断面コ字状のランナー２１，２１をそれらの開放側が対向するようにして配設し、該ランナー２１，２１に複数の金属製下地材１，１・・の上下端を嵌め込んでいき、金属製下地材１，１・・をランナー２１，２１の流れ方向（即ち、図４の矢印Ａ，Ｂ方向）に所定間隔で建て込むとともに、前記金属製下地材１，１・・に対して該金属製下地材１，１・・のフレ止めを行う断面Ｍ字状のチャンネル１１を貫通固定して構成される。符号２２は前記下地材１，１・・に貼られるボードである。
【００１２】
前記各金属製下地材１は、図３に示すように、所定の幅に切断された金属板をその両端がコーナの一点において接するように四角筒状に折曲して構成された中空な金属製四角柱とされている。
【００１３】
そして、前記金属板の一方の端部には、前記金属製四角柱１の内側に折曲され、さらにその先端部が外側に向かって折曲されてなる逆Ｊ字状折曲部３が設けられ、前記金属板の他方の端部には、内側に逆Ｕ字状に折曲されてなる逆Ｕ字状折曲部４が設けられており、両者を連続して嵌合圧着せしめて上下方向に連続するコーナ型接続部２として成形されている。そして、該コーナ型接続部２における逆Ｕ字状折曲部４の基端から内側に向かってコ字状に突出するリブ１９が上下方向に連続して形成されている。このように構成したことにより、コーナ型接続部２の外れを前記リブ１９により防止できるとともに金属製四角柱１の剛性強化も図れる。
【００１４】
前記金属製下地材（以下においては、金属製四角柱という）１の四面５〜８のうち一方の相対向する二面５，６は正面および裏面とされ、該正面５と裏面６の横方向ほぼ中央部には、フレ止め用の断面コ字状のチャンネル１１を開放側を下向きあるいは上向きとして嵌合するためのチャンネル嵌合溝１２を底部に有する正面側切欠開口９と、該正面側切欠開口９と相対向する裏面側切欠開口１０とがそれぞれ形成されている。
【００１５】
前記正面側切欠開口９の片側口縁９ａ（換言すれば、チャンネル嵌合溝１２の上方に位置する片側口縁９ａ）には、該片側口縁９ａを折曲部１３として開閉自在とされ且つ閉止時に前記チャンネル１１の上方に近接される固定片１４が一体に突設されている。本実施の形態においては、前記固定片１４の開閉中心となる折曲部１３の上下には、該固定片１４の開閉動作を容易ならしめるための折曲補助手段として作用する円弧状のヌスミ部１７および長穴１８が形成されている。該ヌスミ部１７および長穴１８は折曲部１３の剛性を低減させて固定片１４の開閉を容易ならしめるためのものである。なお、長穴１８の形成個数は任意である。また、前記金属製四角柱１の四面５〜８のうち他の相対向する二面７，８はボード貼付面とされる。なお、本参考例において使用される金属製四角柱１は、ボード貼付面７，８の幅が広く、他の２面（即ち、正面５および裏面６）の幅が狭い断面長方形形状を有するものとされている。つまり、ボード貼付面７，８方向に撓み易い形状とされているのである。
【００１６】
前記チャンネル嵌合溝１２は、チャンネル１１の横幅よりやや幅広とされており、その両側口縁１２ａ，１２ａには、前記チャンネル１１の嵌合時に該チャンネル１１の両側面に圧接される舌片１５，１５が一体に形成されている。つまり、チャンネル嵌合溝１２にチャンネル１１が嵌合された状態においては、チャンネル１１は、舌片１５，１５の圧接力により横方向移動が許容されない状態とされているのである。なお、前記裏面側切欠開口１０の底部にも、前記正面側切欠開口９におけるチャンネル嵌合溝１２と対向し且つチャンネル１１の横幅とほぼ同一の幅（即ち、嵌合されたチャンネル１１の横方向移動が許容されない幅）を有するチャンネル嵌合溝１６が形成されている。
【００１７】
前記固定片１４は、チャンネル１１の挿通時にチャンネル１１の先端により横向きに押し開かれるか、チャンネル１１の挿通前に手指により予め横向きに押し開かれ、チャンネル１１がチャンネル嵌合溝１２に位置決めされた状態において指力により横向きに閉じられることとなっている。そして、閉じられた状態において、固定片１４下端がチャンネル１１の上方に近接されてチャンネル１１の上方移動が規制されるようになっている。なお、閉じられた状態において、固定片１４の下端とチャンネル１１との間に若干の隙間が介在される方が、固定片１４の操作性を良好ならしめるためには好ましい。該隙間は、チャンネル１１が舌片１５，１５による規制力が作用しないようになるまで上方へ移動することができない程度の大きさとされる。
【００１８】
また、前記固定片１４の上方は、該固定片１４の開閉操作時において指等の出入りを許容する余剰開口２０とされている。
【００１９】
ところで、上記構成の金属製四角柱１，１・・を用いて建造物用下地構造を形成する場合、金属製四角柱１，１・・が撓むおそれがあるため、本参考例においては、図１および図２に示すように、前記金属製四角柱１，１・・の間にあって前記チャンネル１１が挿通される固定部材２３と、該固定部材２３を貫通する支持部材２４と、該支持部材２４に対して前記チャンネル１１を圧接固定する固定手段２５とからなる撓み防止装置Ｔが付設されている。なお、該撓み防止装置Ｔは、前記金属製四角柱１，１・・の間のうち所定間隔をおいた部位に設けられる。
【００２０】
前記固定部材２３は、前記チャンネル１１を跨ぐ断面コ字状の金属部材により構成されており、その対向片２３ａ，２３ａには、前記支持部材２４が貫通される貫通穴２６，２６が形成される一方、前記対向片２３ａ，２３ａを連結する連結片２３ｂの中央部には、前記固定手段２５が螺合されるネジ穴２７が形成されている。また、前記固定部材２３には、前記対向片２３ａ，２３ａから連結片２３ｂにかけて延びる一対の補強用ビード２８，２８が前記貫通穴２６，２６およびネジ穴２７を挟むようにして形成されている。なお、貫通穴２６，２６の上端と連結片２３ｂとの寸法は、チャンネル１１の高さ寸法より若干大きくされている。
【００２１】
前記支持部材２４は、前記固定部材２３の対向片２３ａ，２３ａに形成された貫通穴２６，２６に貫通されるボルトとされており、該ボルト２４の一端は、前記壁面Ｗに埋め込まれたネジ筒３３に対して螺着されている。このボルト２４の外径は、前記貫通穴２６，２６の内径より若干小径とされている。なお、該支持部材２４としては、ボルト以外の部材（例えば、金属棒等）を用いることもできる。なお、前記支持部材であるボルト２４は、上記したように壁面Ｗに埋め込まれたネジ筒３３に対して螺着する場合と、前記ボルト２４を壁面Ｗに圧接するだけの場合とがあり、複数個数の撓み防止装置Ｔ，Ｔ・・のうちの選ばれたものにおけるボルト２４をネジ筒３３に対して螺着するものとするのが、組付工数を低減する上で好ましい。
【００２２】
前記固定手段２５は、前記固定部材２３における連結片２３ｂに形成されたネジ穴２７に螺合されて前記チャンネル１１に対して圧接されるネジ部材（例えば、蝶ネジ）とされている。符号２９は前記蝶ネジ２５に螺合されて弛みを防止するナットである。
【００２３】
次に、具体的な建造物用下地構造の形成手順について説明する。
【００２４】
まず、図４に示すように、例えば天井スラブ面と床面とにコの字状のランナー２１，２１をそれらの開放側が対向するようにして配設する。
【００２５】
次に、上記構成の複数の金属製四角柱１，１・・の上下端を上下のランナー２１，２１に嵌め込んでいき、金属製四角柱１，１・・をランナー２１，２１の流れ方向（即ち、図４の矢印ＡあるいはＢ方向）に所定間隔で建て込む。この時、金属製四角柱１，１・・のそれぞれの正面５および裏面６は同方向に向けられる。このようにすると、ランナー２１，２１のスパン方向に平行して各金属製四角柱１におけるボード貼付面７，８が並ぶこととなる。
【００２６】
しかる後、チャンネル１１を縦向き（即ち、開放側が横向きとなる向き）として各金属製四角柱１の裏面側切欠開口１０から正面側切欠開口９に次々に挿入する。すると、チャンネル１１の先端により固定片１４が横向きに押し開けられる。その後チャンネル１１を正規の姿勢（即ち、開放側を下向きとした姿勢）に姿勢変更させ、その後下方へ押し下げて正面側および裏面側切欠開口９，１０のチャンネル嵌合溝１２，１６に嵌合位置決めする。この状態においては、チャンネル１１はチャンネル嵌合溝１２における舌片１５，１５の圧接規制力により横方向の移動が規制されることとなる。
【００２７】
次に、チャンネル１１の挿通時に押し開かれた固定片１４を指力を用いて押し戻すと、固定片１４下端がチャンネル１１の上方に近接される。この状態においては、チャンネル１１は上方への移動が固定片１４により規制されることとなる。
【００２８】
なお、金属製四角柱１に複数対の正面側および裏面側切欠開口９，１０が形成されている場合には、上記作業を複数回繰り返す。
【００２９】
上記したようにチャンネル１１を組み付けると、チャンネル１１は、チャンネル嵌合溝１２における舌片１５，１５によって横方向の移動が規制されるとともに、固定片１４によって上方への移動が規制されることとなり、金属製四角柱１，１・・相互間がチャンネル１１により強固に連結されることとなる。この状態においては、金属製四角柱１，１・・のランナースパン方向へのユレが完全に防止されることとなる。
【００３０】
しかる後、金属製四角柱１，１間に位置するチャンネル１１に固定部材２３を跨がらせ、この状態で支持部材であるボルト２４を前記固定部材２３の対向片２３ａ，２３ａに形成された貫通穴２６，２６に貫通させた後、ボルト２４の一端を壁面Ｗのネジ筒３３に螺着する。その後、ナット２９を螺合させた蝶ネジ２５を固定部材２３の連結片２３ｂに形成されたネジ穴２７に螺合させて、蝶ネジ２５の先端をチャンネル１１の上面に圧接させると、チャンネル１１は蝶ネジ２５とボルト２４との間に強固に挟持されることとなる。
【００３１】
その後、ボード貼付面７，８のいずれかに対してドライウォールスクリュー（小ビス）３０を用いて上貼り用のボード２２が張設されるが、金属製四角柱１，１・・が、チャンネル１１による連結性確保によってユレ防止されるとともに、チャンネル１１が蝶ネジ２５と支持部材２４との間に強固に挟持されるという撓み防止装置Ｔの作用により金属製四角柱１，１・・の撓みが防止されることとなり、堅牢な壁面下地構造が得られる。従って、ボード貼付作業が極めて迅速且つ確実に行えるのである。
【００３２】
上記説明では、固定片１４をチャンネル１１の挿通により押し開くようにしているが、予め固定片１４を押し開いた状態でチャンネル１１を挿通するようにしてもよい。その場合、金属製四角柱１，１・・の上下端を上下のランナー２１，２１に嵌め込んでいくときに、金属製四角柱１，１・・のそれぞれの正面５および裏面６を同方向に向ける必要はなく、側面７，８がボード貼付面となるように並べば逆向きとなってもよい。
【００３３】
第２の参考例
図５には、本願発明の第２の参考例にかかる建造物用下地構造の要部が示されている。
【００３４】
この場合、金属製四角柱１は、ボード貼付面７，８間の寸法が比較的大きいものとされており、チャンネル１１は断面コ字状を呈している。そして、固定部材２３の対向片２３ａ，２３ａには、支持部材であるボルト２４が貫通される貫通穴２６とボルト２４が螺合されるネジ穴３１が形成されている。また、この場合、金属製四角柱１，１・・におけるボード貼付面７，８の両面にボード２２が貼付されることとなっている。その他の構成および作用効果は第１の参考例におけると同様なので説明を省略する。
【００３５】
第３の参考例
図６には、本願発明の第３の参考例にかかる建造物用下地構造の要部が示されている。
【００３６】
この場合、金属製四角柱１は、ボード貼付面７，８間の寸法がさらに大きいものとされており、チャンネル１１は断面コ字状を呈している。そして、固定部材２３の対向片２３ａ，２３ａには、支持部材であるボルト２４が螺合されるネジ穴３１，３１がそれぞれ形成されている。符号３２は固定部材２３の対向片２３ａ，２３ａに一体に形成されたバーリング加工部であり、該バーリング加工部３２の内周面に前記ネジ穴３１が形成される。その他の構成および作用効果は第１の参考例におけると同様なので説明を省略する。
【００３７】
第４の参考例
図７および図８には、本願発明の第４の参考例にかかる建造物用下地構造が示されている。
【００３８】
この建造物用下地構造は、図７および図８に示すように、天井スラブＤの下方に吊り下げられる天井用下地を形成するためのものであり、例えば、天井スラブＤから所定寸法離れた位置において壁面Ｗに断面コ字状のランナー３４，３４をそれらの開放側が対向するようにして配設し、該ランナー３４，３４に複数の金属製下地材１，１・・の左右端を嵌め込んでいき、金属製下地材１，１・・をランナー３４，３４の流れ方向（即ち、図８の矢印Ａ，Ｂ方向）に所定間隔で建て込むとともに、前記金属製下地材１，１・・に対して該金属製下地材１，１・・のフレ止めを行う断面Ｍ字状のチャンネル１１を貫通固定して構成される。符号３５は前記下地材１，１・・に貼られる天井ボードである。
【００３９】
また、撓み防止装置Ｔにおける支持部材であるボルト２４は、前記天井スラブＤに埋め込まれたネジ筒３３に螺着されることとなっている。
【００４０】
その他の構成および作用効果は、第１の参考例におけると同様なので説明を省略する。
【００４１】
第１の実施の形態（請求項１，２に対応）
図９ないし図１１には、本願発明の第１の実施の形態にかかる建造物用下地構造が示されている。
【００４２】
この場合、壁面Ｗは、例えば軽量気泡コンクリートにより構成されており、支持部材であるボルト２４の一端は、前記壁面Ｗに対して固定金具３６を介して取り付けられている。該固定金具３６は、図１１に示すように、切欠穴３７，３７を有する固定片３６ａ，３６ａと、該固定片３６ａを連結する断面コ字状の支持片３６ｂとからなっており、該支持片の中央部には、バーリング加工により形成されたネジ穴３８が形成されている。そして、前記切欠穴３７，３７を介してドライウォールスクリュー３９，３９を前記壁面Ｗにねじ込むことにより固定片３６ａ，３６ａを固定させることにより固定金具３６は壁面Ｗに固定され、その後、前記ネジ穴３８にボルト２４の一端を螺合させることにより、固定金具３６にボルト２４が取り付けられることとなっている。
【００４３】
また、前記固定部材２３における対向片２３ａ，２３ａに形成された２６，２６には、図９および図１０に示すように、前記ボルト２４を水平方向から挿入できる大きさの開放部２６ａ，２６ａがそれぞれ形成されている。このようにすると、支持部材２４の貫通穴２６，２６への挿入が開放部２６ａ，２６ａを介して水平方向から行えることとなり、作業性が向上する。
【００４４】
その他の構成および作用効果は、第１の参考例におけると同様なので説明を省略する。
【００４５】
なお、本実施の形態にかかる建造物用下地構造も、第４の参考例と同様に天井用下地構造として使用可能である。
【００４６】
上記説明では、金属製下地材として金属製四角柱を用いたものを、本願発明の実施の形態としているが、本願発明は、金属製下地材として断面コ字状の鋼材等を用いるものにも適用可能であることは勿論である。
【発明の効果】
【００４７】
本願発明（請求項１の発明）によれば、複数の金属製下地材１，１・・と、これらの金属製下地材１，１・・に対して貫通固定されて該金属製下地材１，１・・のフレ止めを行うチャンネル１１とを備えた建造物用下地構造において、前記金属製下地材１，１・・の間にあって前記チャンネル１１が挿通される固定部材２３と、該固定部材２３を貫通する支持部材２４と、該支持部材２４に対して前記チャンネル１１を圧接固定する固定手段２５とを付設して、金属製下地材１，１・・に貫通固定されて該金属製下地材１，１・・のフレ止めを行うチャンネル１１が、支持部材２４に対して固定部材２３と固定手段２５とにより強固に固定されるようにしたので、金属製下地材１，１・・の撓みが防止されることとなり、堅牢な下地構造が得られるとともにボード貼付作業も容易となるという優れた効果がある。しかも、支持部材２４をチャンネル１１を跨ぐ固定部材２３の対向片２３ａ，２３ａに貫通させた後、固定部材２３の連結片２３ｂに固定手段２５であるネジ部材を螺合させるだけで金属製下地材１，１・・の撓み防止が達成できることとなり、作業性が向上するという効果もある。また、前記固定部材２３における対向片２３ａ，２３ａに、前記支持部材２４の外径よりやや大径の貫通穴２６，２６を形成したことにより、貫通穴２６，２６への支持部材２４の貫通が容易に行えるし、前記各貫通穴２６に、前記支持部材２４を水平方向から挿入できる大きさの開放部２６ａをそれぞれ形成したことにより、支持部材２４の貫通穴２６，２６への挿入が開放部２６ａ，２６ａを介して水平方向から行えることとなり、作業性が向上するという効果もある。
【００４８】
請求項２の発明におけるように、前記各金属製下地材１を、中空な金属製四角柱により構成するとともに、前記金属製下地材１の相対向する二面５，６に、前記チャンネル１１を嵌合するためのチャンネル嵌合溝１２を下端に有する正面側切欠開口９と、該正面側切欠開口９と相対向する裏面側切欠開口１０とをそれぞれ形成し且つ前記チャンネル嵌合溝１２の両側口縁１２ａ，１２ａに、前記チャンネル１１の嵌合時に該チャンネル１１の両側面に圧接される舌片１５，１５を一体に形成する一方、前記正面側切欠開口９の片側口縁９ａに、該片側口縁９ａを折曲部１３として開閉自在とされ且つ閉止時に前記チャンネル１１の上方に近接される固定片１４を一体に突設した場合、中空な金属製四角柱１の相対向する二面５，６の一方側に形成された裏面側切欠開口１０から正面側切欠開口９の固定片１４を押し開きながらチャンネル１１を挿通させ後、あるいは固定片１４を手指で押し開いた状態でチャンネル１１を挿通させた後、該チャンネル１１を正面側切欠開口９の下端のチャンネル嵌合溝１２における舌片１５，１５に対して嵌合位置決めし、その後前記固定片１４を閉じてその下端をチャンネル１１の上方に近接させると、チャンネル１１のチャンネル嵌合溝１２からの離脱が規制され、金属製四角柱１へのチャンネル１１の組付が確実且つ強固となり、結果としてより堅牢な下地構造が得られる。
【図面の簡単な説明】
【図１】  本願発明の第１の参考例にかかる建造物用下地構造の要部を示す部分拡大側面図である。
【図２】  本願発明の第１の参考例にかかる建造物用下地構造の要部を示す部分拡大正面図である。
【図３】  本願発明の第１の参考例にかかる建造物用下地構造における金属製四角柱を示す部分拡大斜視図である。
【図４】  本願発明の第１の参考例にかかる建造物用下地構造の要部を示す正面図である。
【図５】  本願発明の第２の参考例にかかる建造物用下地構造の要部を示す部分拡大側面図である。
【図６】  本願発明の第３の参考例にかかる建造物用下地構造の要部を示す部分拡大側面図である。
【図７】  本願発明の第４の参考例にかかる建造物用下地構造の要部を示す部分拡大側面図である。
【図８】  本願発明の第４の参考例にかかる建造物用下地構造の要部を示す下面図である。
【図９】  本願発明の第１の実施の形態にかかる建造物用下地構造の要部を示す部分拡大側面図である。
【図１０】  本願発明の第１の実施の形態にかかる建造物用下地構造の要部を示す部分拡大正面図である。
【図１１】  本願発明の第１の実施の形態にかかる建造物用下地構造に用いられ固定金具の正面図である。
【符号の説明】
１は金属製四角柱、５は正面、６は裏面、９は正面側切欠開口、９ａは片側口縁、１０は裏面側切欠開口、１１はチャンネル、１２はチャンネル嵌合溝、１２ａは口縁、１３は折曲部、１４は固定片、１５は舌片、１７は折曲補助手段（ヌスミ部）、１８は折曲補助手段（長穴）、１９はリブ、２３は固定部材、２３ａは対向片、２３ｂは連結片、２４は支持部材（ボルト）、２５は固定手段（蝶ネジ）、２６は貫通穴、２６ａは開放部、３６は固定金具、Ｗは壁面、Ｄは天井スラブ、Ｔは撓み防止装置。
【図１】
0003983363.tif 000002
【図２】
0003983363.tif 000003
【図３】
0003983363.tif 000004
【図４】
0003983363.tif 000005
【図５】
0003983363.tif 000006
【図６】
0003983363.tif 000007
【図７】
0003983363.tif 000008
【図８】
0003983363.tif 000009
【図９】
0003983363.tif 000010
【図１０】
0003983363.tif 000011
【図１１】
0003983363.tif 000012